(57)【要約】【課題】化粧料を塗布する際に、筆先が放射状に広がるとともに、筆圧が平均して指爪に伝わり、使いやすい液状化粧料塗布用筆を提供する。【解決手段】植毛穴３の、細長い周囲をもつ口元の縁部に各対向するように、毛束４が伸びる方向に延出する円弧形状の延出部９を各設ける。植毛穴３に植毛された毛束４の口元部分の断面形状がほぼ四角形で、長辺の短辺に対する長さ比が３／２以上である。また、延出部９の円弧の半径と長尺縁部８ｂとの長さ比を１／２〜５／６とした。延出部を円弧形状に形成したので、液状化粧料の塗布動作において、確実に筆先が放射状に広がるとともに、筆圧が平均して指爪に伝わり、より使いやすい【選択図】        図４
2005021215.tif 000002
【特許請求の範囲】
【請求項１】
筆軸先端に設けた植毛穴に毛束を植毛した液状化粧料塗布用筆であって、植毛穴の、細長い周囲をもつ口元の縁部に各対向するように、両端部よりも中央部が長くなるように、毛束が伸びる方向に延出する延出部を各設けたことを特徴とする液状化粧料塗布用筆。
【請求項２】
延出部の延出端縁が円弧形状であることを特徴とする請求項１に記載した液状化粧料塗布用筆。
【請求項３】
植毛穴に植毛された毛束の口元部分の、長辺の短辺に対する長さ比が３／２以上であることを特徴とする請求項１に記載の液状化粧料塗布用筆。
【請求項４】
延出部の円弧の半径と長尺縁部との長さ比を１／２〜５／６としたことを特徴とする請求項３に記載した液状化粧料塗布用筆。
【請求項５】
液状化粧料を収容した容器のキャップ内側端部に筆軸基部を固定し、前記キャップの閉蓋時には前記容器内に収容されるようになしたことを特徴とする請求項１〜請求項４のいずれか１項に記載の液状化粧料塗布用筆。
【発明の詳細な説明】
【０００１】
【発明が属する技術分野】
本発明は、例えば、マニキュア液を収容した容器のキャップ内側端部に筆軸基部を固定し、該筆軸先端に設けた植毛穴に毛束（毛材を束ねたもの）を植毛してなる液状化粧料塗布用筆に係り、特に、毛束が扁平状態で植毛された植毛穴の口元の形状に特徴を有する液状化粧料塗布用の平筆に関する。
【０００２】
【従来の技術】
従来の液状化粧料塗布用筆は、筆軸先端に設けた毛束を植毛するための植毛穴の口元が、直線状にカットされた２次元平面上に位置するものが一般的である（特許文献１）。
【０００３】
特許文献１
特開平０７−３０３５１８号公報（図１、図２、図３参照）。
【０００４】
【発明が解決しようとする課題】
上記従来の液状化粧料塗布用筆たるマニキュア液塗布用筆は、筆先の毛材腹部を塗布対象たる指爪に押し付け、筆先を放射状に広げて塗布することが多いが、植毛穴の、各一対の長尺縁部と短尺縁部からなる口元が２次元平面上に位置する形状なので、前記口元の各長尺縁部に沿った部分における両端側の毛材は、植毛穴の両端部分で強く挟持されており、この部分の毛材のコシが中央の毛材のコシより強いものとなり、塗布作業時に指爪に毛材を押し付けても筆先が放射状に広がりにくいうえ、筆圧が平均して指爪に伝わらないため使いにくいという問題があった。なお、前記のように筆先が放射状に広がりにくいと、指爪にマニキュア液を塗る回数が増え、液状化粧料の重なりが多くてむらになり、きれいな塗布作業ができない。
【０００５】
本発明は、上記問題を解消することを課題とし、この課題を解決した液状化粧料塗布用筆を提供することを目的とする。
【０００６】
【課題を解決するための手段】
上記目的を達成するために、例えば、請求項１に記載の本発明の液状化粧料塗布用筆は、筆軸先端に設けた植毛穴に毛束を植毛し、植毛穴の、細長い周囲をもつ口元の縁部に各対向するように、両端部よりも中央部が長くなるように、毛束が伸びる方向に延出する延出部を各設けたことを特徴とするものである。
【０００７】
また、請求項２に記載の本発明の液状化粧料塗布用筆は、請求項１に記載の発明の構成に加えて、延出部の延出端縁が円弧形状であるものである。
【０００８】
また、請求項３に記載の本発明は、請求項２に記載の発明の構成に加えて、植毛穴に植毛された毛束の口元部分の、長辺の短辺に対する長さ比が３／２以上であることを特徴とするものである。
【０００９】
また、請求項４に記載の本発明は、請求項３に記載の発明の構成に加えて、延出部の円弧の半径と長尺縁部との長さ比を１／２〜５／６としたことを特徴とするものである。
【００１０】
また、請求項５に記載の本発明は、請求項１〜請求項４のいずれか１項に記載の発明の構成に加えて、液状化粧料を収容した容器のキャップ内側端部に筆軸基部を固定し、前記キャップの閉蓋時には前記容器内に収容されるようになしたものである。
【００１１】
【発明の実施の形態】
以下に、本発明をマニキュア液塗布用筆に適用した好適な実施形態を添付図面の図１〜図６に基づいて詳細に説明する。ここにおいて、図１は部分縦断正面図、図２は部分縦断側面図、図３はマニキュア塗布具の部分縦断正面図、図４は毛束を植毛した状態の筆軸先端の拡大斜視図、図５は要部の拡大正面図、図６は図５のＡ−Ａ線断面図である。
【００１２】
図１〜図４に示すように、塗布用筆１は、筆軸２先端部に設けた植毛穴３に毛束４を植毛したもので、液状化粧料たるマニキュア液ａを収容した容器５のキャップ部６内側端部に前記筆軸２の基部７を固定し、前記キャップ６閉蓋時には前記容器５内に収容され、前記マニキュア液ａに浸かった状態となるように構成する。
【００１３】
図１、図２及び図４に示すように、塗布用筆１は、扁平形状となした植毛穴３の、細長い形状であるほぼ四角形の口元８の、各対向する２短尺縁部８ａと２長尺縁部８ｂのうち、各長尺縁部８ｂには、両端側から中央側に向かって徐々に長くなるように、毛束４が伸びる方向に延出した延出部９をそれぞれ設ける。
【００１４】
図４〜図６に示すように、植毛穴３に植毛された毛束４の前記口元８部分の断面形状は、長尺縁部８ｂに沿った辺の長さを１．８ｍｍ、短尺縁部８ａに沿った辺の長さを１．２ｍｍにしてある。すなわち、長尺縁部８ｂに対応する辺と短尺縁部８ａに対応する辺の長さ比は、３／２である。
【００１５】
また、前記各辺の長さの比は、３／２より小さいと、塗布作業時に筆先が開きにくく、液状化粧料塗布用筆としては使用しにくいので、３／２以上が好適である。
【００１６】
図５に示すように、延出部９は、円弧形状に形成し、この円弧の半径を２．５ｍｍ、長尺縁部８ｂを４．０ｍｍとなす。すなわち、該円弧の半径と長尺縁部８ｂとの長さ比は、６／５である。そして、このように形成した前記円弧状の延出部９は、長尺縁部８ｂの中央部分において両端より約１ｍｍ長く延出した状態となる。
【００１７】
また、塗布作業時に筆先が適度に開くようにするためには、前記延出部９の円弧の半径と長尺縁部８ｂとの長さ比を、１／２〜５／６の範囲にすると好適であり、１／２よりは小さく形成し得ず（円弧の両端が長尺縁部の端部に達しない）、さらに、５／６より大きい場合は、円弧の曲がり度が大きすぎて筆先の開きが小さすぎるものである。
【００１８】
以上のように構成した植毛穴３に毛束４を植毛してなる液状化粧料塗布用筆１は、各延出部９が円弧形状であるので、塗布時に、延出部９の円弧縁が毛材を支持し、前記中央側に近づくほど毛材のコシを徐々に強くして、全体的として平均したコシの強さとなす。
【００１９】
上記液状化粧料塗布用筆１は、使用に際し、容器５からキャップ６を外し、キャップ６とともに取り出して、指爪にマニキュア液ａを塗布する際に、毛束４腹部を塗布対象たる指爪に押し付けるようにして塗布すると、植毛穴の延出部９の沿った各部分の毛材はコシの強さが同等なので、筆先は放射状に広がるとともに、筆圧が平均して指爪に伝わり、使いやすい。そして、前記のように筆先が放射状に広がると、指爪にマニキュア液を塗る回数は最少でよく、液状化粧料の重なりが少なくむらになりにくく、きれいな塗布作業を行うことが可能である。
【００２０】
なお、本発明は、上記実施形態になんら限定されるものではなく、例えば、延出部９の形状は、円弧形状ではなく、長尺縁部８ｂの両端部側から中央部側に向かって直線的に傾斜した縁部を有するものなど、両端側から中央側に向かって徐々に長くなるように、毛束が伸びる方向に延出するのであれば、他の形状に変更してもよい。また、適用する液状化粧料は、マニキュア液とは異なる化粧料であってもよい。
【００２１】
【発明の効果】
以上説明したように、請求項１に記載の本発明によれば、植毛穴の、細長い周囲をもつ口元の縁部に各対向するように、両端側から中央側に向かって徐々に長くなるように、毛束が伸びる方向に延出する延出部を各設けたので、毛束腹部を塗布対象たる指爪に押し付けるようにして塗布すると、植毛穴の延出部に沿った各部分の毛材はコシの強さが同等なので、筆先は放射状に広がるとともに、筆圧が平均して指爪に伝わり、使いやすいという作用効果を奏する。
【００２２】
また、請求項２に記載の本発明によれば、請求項１に記載の発明の作用効果に加えて、延出部を円弧形状に形成したので、化粧料の塗布動作において、確実に筆先が放射状に広がるとともに、筆圧が平均して指爪に伝わり、より使いやすいという効果を奏する。
【００２３】
また、請求項３に記載の本発明によれば、請求項２に記載の発明の作用効果に加えて、植毛穴に植毛された毛束の前記口元部分の断面形状は、前記長尺縁部に対応する長辺と前記短尺縁部に対応する短辺の長さ比を３／２以上としたので、化粧料の塗布動作において、適度に筆先が放射状に広がり、より一層塗布しやすいという作用効果を奏する。
【００２４】
また、請求項４に記載の本発明によれば、請求項３に記載の発明の作用効かに加えて、延出部の円弧の半径と長尺縁部との長さ比を１／２〜５／６としたので、この円弧縁の湾曲度が、塗布動作における筆先の適度の広がりを得るために好適であるという作用効果を奏する。
【００２５】
また、請求項５に記載の本発明によれば、キャップの閉蓋時に前記容器内に収容されているので、キャップを外して引き出せばそのまま液状化粧料を塗布して化粧が可能であるという作用効果を奏する。
【図面の簡単な説明】
【図１】部分縦断正面図。
【図２】部分縦断側面図。
【図３】マニキュア塗布具の部分縦断正面図。
【図４】毛束を植毛した状態の筆軸先端の拡大斜視図。
【図５】要部の拡大正面図。
【図６】図５のＡ−Ａ線断面図
【符号の説明】
ａ    マニキュア液
１    塗布用筆
２    筆軸
３    植毛穴
４    毛束
５    容器
６    キャップ
７    基部
８    口元
８ａ    短尺縁部
８ｂ    長尺縁部
９    延出部
【図１】
2005021215.tif 000003
【図２】
2005021215.tif 000004
【図３】
2005021215.tif 000005
【図４】
2005021215.tif 000006
【図５】
2005021215.tif 000007
【図６】
2005021215.tif 000008